(57)【要約】【課題】本発明は、カードを検出するなどのコンタクトを２分割して装着するようにしたカードコネクタを提供するものである。【解決手段】かゝる本発明は、コネクタ本体の前面側にカード差込み口があって、このカード差込み口から内部のカード収納部にカードが収納されるカードコネクタにおいて、コネクタ本体のコンタクト収納部１６０内に、コネクタ本体の前面側から、金属プレート片からなるフロントコンタクト２１０を装着する一方、コネクタ本体の後面側から、金属プレート片からなるリアコンタクト２２０を装着して、これら両コンタクトのコンタクト収納部１６０内の端部同士を電気的に接続させるカードコネクタ１００Ａにあり、これによって、フロントコンタクト２１０及びリアコンタクト２２０を安定して装着させることができる。【選択図】  図１
2005011605.tif 000002
【特許請求の範囲】
【請求項１】
コネクタ本体の前面側にカード差込み口があって、当該カード差込み口から内部のカード収納部にカードが収納されるカードコネクタにおいて、前記コネクタ本体のコンタクト収納部内に、前記コネクタ本体の前面側から、金属プレート片からなるフロントコンタクトを装着する一方、前記コネクタ本体の後面側から、金属プレート片からなるリアコンタクトを装着して、これら両コンタクトの前記コンタクト収納部内の端部同士を電気的に接続させることを特徴とするカードコネクタ。
【請求項２】
コネクタ本体の前面側にカード差込み口があって、当該カード差込み口から内部のカード収納部にカードが収納されるカードコネクタにおいて、前記コネクタ本体のコンタクト収納部内に、前記コネクタ本体の前面側から、その一端側に検出部を有する金属プレート片からなるフロントコンタクトを装着する一方、前記コネクタ本体の後面側から、その一端側にハンダ付け脚部を有する金属プレート片からなるリアコンタクトを装着して、これら両コンタクトの前記コンタクト収納部内の端部同士を電気的に接続させることを特徴とするカードコネクタ。
【請求項３】
前記コネクタ本体の前面側に複数のカード差込み口があって、少なくともカード収納部の一部が重なり合う重層構造となる部分において、前記両コンタクトを装着してなることを特徴とする請求項１又は２記載のカードコネクタ。
【発明の詳細な説明】
【０００１】
【発明の属する技術分野】
本発明は、カードを検出するなどのコンタクトを２分割して装着するようにしたカードコネクタに関するものである。
【０００２】
【従来の技術】
近年、記録用のカードが普及し、その大きさや厚さなどが異なる種々のカードが提供されており、これを取り扱う電子機器側のカードコネクタにあっては、好ましくは、これらのより多くのカードに対応できることが望まれる。
このため、従来にあっても、複数のカード（２枚のカード）に対応できるカードコネクタが提案されている（特許文献１参照）。
【０００３】
【特許文献１】特開２００２−８７５５  図１
【０００４】
これをより進めて、例えば図６〜図８に示すような、３種類のカードＣ１〜Ｃ３に対応できるカードコネクタ１００も既に提案されている。
このカードコネクタ１００では、その前面側において、カードＣ１とカードＣ２の各カード差込み口１１０、１２０は、左右方向に並列に配列される一方、カード３のカード差込み口１３０は、カードＣ２のカード差込み口１２０の上側全面とカードＣ１のカード差込み口１１０の一部に跨がって配列されている。
【０００５】
つまり、カードコネクタ１００の汎用性を高める一方で、カードコネクタ１００自体が大型化しないように、即ち、小型化のままで、限られたスペースの前面側に各カード差込み口１１０〜１３０を高密度に配列してある。
【０００６】
そして、さらに、各差込み口１１０〜１３０に対応した、内部のカード収納部内にあっては、各カードＣ１〜Ｃ３との記録データのやり取りや制御用などの多数のコンタクト１４０が内蔵されており、これらのコンタクト１４０のうち、例えばカードＣ１〜Ｃ２用のものにあっては、カードコネクタ１００の前面側にその取付け部、即ちハンダ付け脚部を垂下させる一方、これにより、この前面側にはスペース的余裕がなくなるため、カードＣ３用のものあっては、図７に示すように、通常カードコネクタ１００の後面側に延ばし、その取付け部、即ちハンダ付け脚部１４１を垂下させて、それぞれ電子機器側の回路基板などにハンダ付けされるようになっている。
【０００７】
このようなスペース的な余裕の少ない構造から、特にカードＣ１、Ｃ２のカード収納部上に重ね合わされた重層構造となるカード３側にあっては、例えば図８に示すように、カードの有無を検出するためのコンタクト１５０を、カードＣ１のカード収納部１１０とカードＣ３のカード収納部１３１との僅かな隙間にコンタクト収納部１６０を設けて、装着することが行われている。
【０００８】
上記コンタクト１５０は、細長い１本の金属プレート片からなり、その形状は、図９の如くで、カード収納部１３１のカード差込み口１３０側に位置する部分には、カードＣ３の有無を検出する、曲げ小片からなる検出部（スイッチ部）１５１が設けてあり、通常は、この状態で、カード差込み口１３０側からコンタクト収納部１６０内に圧入して装着し、カードコネクタ１００の後面側に延びた先端部分は、ハンダ付け脚部１５２として、この装着後、曲げ加工している。
【０００９】
【発明が解決しようとする課題】
ところが、このようなコンタクト構造では、次のような問題点があった。
（１）先ず、コンタクト１５０の装着において、例えば、コンタクト収納部１６０の溝内の一部（幅方向の左右）に、凹み部（図示省略）を設けると共に、図１０に示すような、コンタクト１５０の一部（幅方向の左右）に少々膨らんだ膨出部１５３を設け、これらの嵌合により圧入保持するわけであるが、通常、これらの凹み部や膨出部１５３は、コンタクト１５０の前端寄り（カードコネクタ１００の差込み口１３０側に近い部分）に設けてあるため、先端側のハンダ付け脚部１５２側は、その保持力が不安定になり易く、後のハンダ付け時のリフロー工程において、ハンダ付け不良などが起こるという問題があった。
【００１０】
かといって、凹み部や膨出部１５３の係合部を、ハンダ付け脚部１５２側に近い部分に移動させれば、今度は、逆に曲げ小片からなる検出部１５１の動作が不安定になるという問題が生じる。つまり、カードＣ３側との接触不良が起こり易くなる。そこで、凹み部や膨出部１５３の係合部を複数設けることも考えられるが、しかし、係合部数が増えると、コンタクト全体の保持力が増すものの、大きな圧入力が必要となるため、圧入そのものが困難となるという問題が生じる。
【００１１】
（２）また、コンタクト１５０は、カードコネクタ１００のカード差込み口１３０側から挿入する関係上、１本の細長いほぼ直線状の金属プレート片として形成することが必要であり、カードコネクタ自体の設計上の自由度が制約されるという問題もあった。
【００１２】
（３）また、上述したように、コンタクト１５０のハンダ付け脚部１５２にあっては、装着後、後工程で曲げ加工が必要となるなどの問題もあった。
【００１３】
本発明は、このような従来の実情に鑑みてなされたもので、基本的には、コンタクトを２分割して、それぞれを、コネクタ本体の前面側及び後面側から装着する一方、各分割されたコンタクトのコンタクト収納部内の端部同士を電気的に接続させることにより、上述した従来の問題点を解決すると共に、独自の効果も得られるようにしたカードコネクタを提供せんとするものである。
【００１４】
【課題を解決するための手段】
請求項１記載の本発明は、コネクタ本体の前面側にカード差込み口があって、当該カード差込み口から内部のカード収納部にカードが収納されるカードコネクタにおいて、前記コネクタ本体のコンタクト収納部内に、前記コネクタ本体の前面側から、金属プレート片からなるフロントコンタクトを装着する一方、前記コネクタ本体の後面側から、金属プレート片からなるリアコンタクトを装着して、これら両コンタクトの前記コンタクト収納部内の端部同士を電気的に接続させることを特徴とするカードコネクタにある。
【００１５】
請求項２記載の本発明は、コネクタ本体の前面側にカード差込み口があって、当該カード差込み口から内部のカード収納部にカードが収納されるカードコネクタにおいて、前記コネクタ本体のコンタクト収納部内に、前記コネクタ本体の前面側から、その一端側に検出部を有する金属プレート片からなるフロントコンタクトを装着する一方、前記コネクタ本体の後面側から、その一端側にハンダ付け脚部を有する金属プレート片からなるリアコンタクトを装着して、これら両コンタクトの前記コンタクト収納部内の端部同士を電気的に接続させることを特徴とするカードコネクタにある。
【００１６】
請求項３記載の本発明は、前記コネクタ本体の前面側に複数のカード差込み口があって、少なくともカード収納部の一部が重なり合う重層構造となる部分において、前記両コンタクトを装着してなることを特徴とする請求項１又は２記載のカードコネクタにある。
【００１７】
【発明の実施の形態】
図１は、本発明に係るカードコネクタの一例を示したものであり、このカードコネクタ１００Ａの全体構造は、上述した図６〜図８のものとほぼ同構造であるが、上記コンタクト１５０に対応する、コンタクト２００が２分割されて、図２〜図３に示すように、フロントコンタクト２１０とリアコンタクト２２０からなる。なお、図６〜図８のものと同一の構成部分には、同符合を付してある。
【００１８】
フロントコンタクト２１０は、細長いほぼ直線状の金属プレート片からなり、その一端側（前端側）には、カードの有無を検出するための曲げ小片からなる検出部２１１が形成されてなる。また、この前端側の幅方向の左右には、上述したように、コンタクト収納部１６０の溝内の一部（幅方向の左右）に設けた、凹み部（図示省略）に嵌合される、少々膨らんだ膨出部２１２が設けてある。
【００１９】
したがって、このフロントコンタクト２１０を、コネクタ本体のカード差込み口１３０側から圧入すれば、凹み部と膨出部２１２の嵌合により、フロントコンタクト２１０自体が、所定の位置から浮き上がったり、ガタ付いたりすることなく、安定して装着される。もちろん、これにより、曲げ小片からなる検出部２１１の動作（バネ性）も安定して確保される。つまり、信頼性の高いスイッチ動作が得られる。
【００２０】
一方、リアコンタクト２２０も、細長い金属プレート片からなり、その先端側のハンダ付け脚部２２１部分は、予め所定の形に曲げ加工してあり、また、反対側にあっても、上記フロントコンタクト２１０の先端側の接触部２１３と弾性的に当接するように、予め適当な曲げ加工を施して、適度のバネ性を持たせた接触部２２２として形成してある。さらに、この接触部２２２の基部側の幅方向の左右には、上述したように、コンタクト収納部１６０の溝内の一部（幅方向の左右）に設けた、凹み部（図示省略）に嵌合される、少々膨らんだ複数の膨出部２２３が設けてある。
【００２１】
したがって、このリアコンタクト２２０を、コネクタ本体の後面側からコンタクト収納部１６０内に圧入すれば、凹み部と膨出部２２３の嵌合により、リアコンタクト２２０自体が、所定の位置から浮き上がったり、ガタ付いたりすることなく、安定して装着される。また、これにより、バネ性のある接触部２２２は、図１に示すように、フロントコンタクト２１０の接触部２１３側に弾性的に当接される。つまり、信頼性の電気的な接続が得られる。
【００２２】
図４〜図５は、本発明に係るカードコネクタの他の例を示したものであり、このカードコネクタ１００Ｂは、その全体構造が、上記図１〜図３のものとほぼ同構造であるが、リアコンタクト２２０′の形状が異なる。
【００２３】
このリアコンタクト２２０′も、細長い金属プレート片からなるものの、その先端側のハンダ付け脚部２２１と反対側の接触部２２２の間に適宜長さの方向変換部２２４を設けてある。
【００２４】
したがって、このリアコンタクト２２０′を、カードコネクタ本体の後面側からコンタクト収納部内に圧入すれば、凹み部と膨出部２２３の嵌合により、リアコンタクト２２０′自体が、所定の位置から浮き上がったり、ガタ付いたりすることなく、安定して装着される一方、方向変換部２２４により、図４に示すように、ハンダ付け脚部２２１を、コンタクト収納部から、他のコンタクト１４０の邪魔にならないようにして、大きくずらした位置に垂下させることなどができる。これにより、カードコネクタ自体の設計上の大きな自由度が確保される。
【００２５】
なお、上記各実施例では、フロントコンタクト２１０及びリアコンタクト２２０、２２０′の装着を、コンタクト収納部の溝内に設けた凹み部と、各フロントコンタクト２１０及びリアコンタクト２２０、２２０′に設けた膨出部２１２、２２３との嵌合により圧入して行っているが、本発明は、特にこれに限定されるものではない。例えば、各コンタクト２１０、２２０、２２０′の膨出部２１２、２２３側を、パネ性のある小片（ランス）に変える一方、コンタクト収納部の溝内に設けた凹み部にこの小片が引っ掛けて圧入するようにしてもよい。また、上記リアコンタクト２２０′の方向変換部２２４の向きにあっても、図示のものに限定されるものではない。さらに、本発明を適用するカードコネクタにあっても、上記カードコネクタ１００Ａ、１００Ｂに限定されない。
【００２６】
【発明の効果】
このように本発明によると、カードコネクタにおいて、カードの有無を検出するなどのコンタクトを、フロントコンタクトとリアコンタクトに２分割し、これらをコネクタ本体の前面側と後面側から装着する一方、各分割されたコンタクトのコネクタ本体のコンタクト収納部内の端部同士を電気的に接続させるものであるため、次のような優れた効果が得られる。
【００２７】
（１）先ず、フロントコンタクトとリアコンタクトの両コンタクトをコネクタ本体に安定して装着することができる。したがって、カードの有無を検出するなどのコンタクトの場合、フロントコンタクトでは本来の検出機能が安定して確保できる一方、リアコンタクトにあっても、安定した保持力が得られるため、後のハンダ付け時におけるハンダ付け不良などの問題は、根本的に解消される。
【００２８】
（２）また、リアコンタクトの場合、コネクタ本体の後面側から装着されるものであるため、装着前に予め所望の形状に形成しておくことが可能となる。つまり、その全体形状、即ちハンダ付け脚部やバネ性を持たせた接触部、さらには、方向変換部などにあっても、大きな自由度を持って形成することができる。特に方向変換部の形状により、ハンダ付け脚部の位置をいろいろな箇所に移動させることが可能となる。もちろん、これにより、悪影響が懸念されるコンタクト装着後の曲げ加工は不要となり、高い信頼性が得られる。また、フロントコンタクトの形状設計にあたっても、リアコンタクト側の形状に拘束されることなく、独立して設計することが可能となる。
【００２９】
（４）また、このような大きな設計の自由度から、コネクタ本体が、その前面側に複数のカード差込み口があって、少なくともカード収納部の一部が重なり合うような重層構造であって、スペース的余裕が少ない場合にあっても、十分な対応が可能となる。例えば、コネクタ本体の前面側に３種類のカードに対応したカード差込み口がある場合であって、何ら支障なく対応することができる。
【００３０】
（５）また、フロントコンタクトとリアコンタクトとが２分割されているため、打ち抜き加工用の金属プレート片の長さ（幅）が短くてもよく、プレス加工工程の単純化、高速化が可能となる。つまり、生産性の向上が期待できる。
【図面の簡単な説明】
【図１】本発明に係るカードコネクタの一実施例になる内部構造を示した縦断面図である。
【図２】図１のカードコネクタに装着されるフロントコンタクトの一例を示した斜視図である。
【図３】図１のカードコネクタに装着されるリヤコンタクトの一例を示した斜視図である。
【図４】本発明に係るカードコネクタの他の実施例を示した斜視図である。
【図５】図１のカードコネクタに装着されるリヤコンタクトの一例を示した斜視図である。
【図６】従来のカードコネクタとカードを示した斜視図である。
【図７】図６のカードコネクタの後面側の斜視図である。
【図８】図６のカードコネクタの内部構造を示した縦断面図である。
【図９】図６のカードコネクタに装着されるコンタクトを示した斜視図である。
【図１０】図９のコンタクトの部分拡大図である。
【符号の説明】
１００Ａ、１００Ｂ          カードコネクタ
１１０、１２０、１３０      カード差込み口
１６０                      コンタクト収納部
２００                      コンタクト
２１０                      フロントコンタクト
２１１                      検出部
２１２                      膨出部
２１３                      接触部
２２０、２２０′              リアコンタクト
２２１                      ハンダ付け脚部
２２２                      接触部
２２３                      膨出部
【図１】
2005011605.tif 000003
【図２】
2005011605.tif 000004
【図３】
2005011605.tif 000005
【図４】
2005011605.tif 000006
【図５】
2005011605.tif 000007
【図６】
2005011605.tif 000008
【図７】
2005011605.tif 000009
【図８】
2005011605.tif 000010
【図９】
2005011605.tif 000011
【図１０】
2005011605.tif 000012